(57)【要約】      （修正有）【課題】物流管理やコピー防止をできる無線自動識別可能なシンボルを提供する。【解決手段】本体には誘導コイルとチップモジュールが設けられ、チップモジュールと誘導コイルは電気的に接続され、チップモジュールには身分を識別するためのプログラムやコードが焼かれ、コイルはシンボルとリーダとの間に無線周波数信号とパワーを提供し、アンテナ間の通信によりデータを交換し、無線自動識別システムの売り場リーダにより安定な無線周波数信号源が供給され、発射アンテナのワークエリアに入ると誘導電流が生成され、チップモジュールはパワーが与えられて駆動され、コード等の情報は、アンテナにより転送され、該リーダは、信号を受信して、復調と復号をした後、主システムへ転送されて処理を受け、処理のデータから、論理演算でシンボルの合法性を判断して、対応する処理や制御を行い、指令信号を送り出し制御する。【選択図】図１
0003113586.tif 000002
【実用新案登録請求の範囲】
【請求項１】
検知コイルと、
当該検知コイルと電気的に接続され、身分を識別するためのプログラム（やコード（code））が焼き焼かれる、チップモジュールと、
各薄い板が連接され、その一つの薄い板の外側にロゴ（Logo）が設けられ、当該検知コイルと当該チップモジュールたが当該一つの薄い板の内側に埋め込まれて、シンボルが形成される、少なくとも一つの薄い板とが含有され、
当該シンボルを品物上に実装すると、無線自動識別システムのリーダが無線信号を発送し、当該シンボルが当該信号の発送範囲に入ると、当該検知コイルが当該信号を検知して、当該信号を当該シンボルのチップモジュールへ伝送し、そして、当該チップモジュールにより、当該信号が整流されてフィルタされた後、パワーを得るため駆動され、また、予めに焼かれたプログラム（やコード）が、そのアンテナにより当該リーダへ返送され、無線検知の受送信を行うことより、関係する処理が実行される、ことを特徴とする無線自動識別可能なシンボル。
【請求項２】
当該各薄い板のその一つの薄い板の内側に、印刷方式で当該検知コイルが設置され、当該チップモジュールが、当該検知コイルと連接するように、当該二枚の薄い板の間に実装されて、シンボルが形成される、ことを特徴とする請求項１に記載の無線自動識別可能なシンボル。
【請求項３】
当該各薄い板のその一つの薄い板の内側に、銅箔層が設けられ、当該銅箔層上をエッチングして、当該検知コイルが形成され、そして、当該チップモジュールが、当該検知コイルと連接するように、当該二枚の薄い板の間に実装されて、シンボルが形成される、ことを特徴とする請求項１に記載の無線自動識別可能なシンボル。
【考案の詳細な説明】
【技術分野】
【０００１】
本考案は、無線自動識別可能なシンボルに関し、特に、当該シンボルのチップモジュールが、予めに焼かれるプログラムを返送することにより、無線自動識別システムが識別を行って、物流管理やコピー防止をできる構造に関する。
【背景技術】
【０００２】
一般の、従来のシンボルは、所定の、明確の造型で物や事を示すか代表するだけで、物や事の存在を単純に指示し、また、目的や内容および性質について、全体的に表現される。
【０００３】
また、従来のバーコードの応用において、当該商品上に識別のためのバーコードを貼り付け、バーコード読み取り装置が、当該バーコード上に対して検知信号を発送し、当該バーコードを検知する信号により、予めにメモリに格納されるデータベースから、当該訊号に対応する基本データを検索して、商品の基本データを取りこみ、物流媒体として追跡し、例えば、品名や在庫管理、仕入、検品及び配送経路等の機能が得られる。その欠点としては、バーコードをスキャンする時、同時に一つのデータしか読み取れず、また、データを読み取る時、品物のバーコードの存在位置に直接対面しなければならず、そして、その間に、あるものが存在すれば読み取れず、そのため、読み取りのスピードが遅い、そして、僅かの距離しかバーコードの内容を読み取れない欠点等があるから、物流管理が容易ではなく、また、当該バーコードに、コピー防止という機能がないため、容易に模造される。
【考案の開示】
【考案が解決しようとする課題】
【０００４】
考案人は、前記の従来技術の欠点を解消するため、電子装置についての製造経験と技術累積に基づいて、上記の欠点を解決する様々の方法を慎重に検討し、研究や実験及び改良を何度も繰り返した後、従来技術の欠点を解消できる新しい無線自動識別可能なシンボルを提案した。
【課題を解決するための手段】
【０００５】
本考案の主な目的は、上記の従来技術の欠点を解消できる無線自動識別可能なシンボルを提供し、当該シンボルには、本体が設けられ、当該本体には、検知コイルとチップモジュールがあり、当該チップモジュールと当該検知コイルは、電気的に接続され、当該チップモジュールには、身分を識別するためのプログラム（やコード）が焼かれ、当該本体を品物（例えば、売り場上の商品）上に実装すると、無線自動識別システム(Radio Frequency Identification、RFID)であるリーダで、内蔵するアンテナから信号（例えば、無線周波数信号やマイクロ波信号或いは赤外線信号）を発射しつつ、当該本体が、当該リーダの発射アンテナのワークエリアに入ると、本体に内蔵される検知コイルが誘導されて電流を生成し、当該本体のチップモジュールは、当該電流により駆動され、当該チップモジュールに予めに焼かれたプログラム（やコード）が、本体内部の検知コイルを介して、当該リーダとメッセージ交換し、そして、当該無線自動識別システムの後端にある主システムへ転送し、更に、当該主システムが、当該プログラム（やコード）から当該品物の各基本データ（例えば、身分や価格、数量、使用期限或いは真偽識別．．．等）を判読し、このように、当該チップモジュール上に当該品物の基本データプログラムを設置することにより、当該品物に関する更に詳しいデータを当該チップモジュール上に設置することができ、物流管理や在庫管理及びコピー防止という目的が達成される。
【０００６】
以下の、図面を参照しながら詳しく説明することにより、本考案の目的や形状、構造及び効果は、明白になる。
【考案を実施するための最良の形態】
【０００７】
図１、２は、本考案に係わる無線自動識別可能なシンボルであり、当該シンボルには、本体10が設けられ、当該本体10には、検知コイル11とチップモジュール12とが設けられ、当該チップモジュール12と当該検知コイル11とは、電気的に接続され、当該チップモジュール12には、身分を識別するためのプログラム（やコード（code））が焼かれ、当該本体10を品物13上に実装すると、無線自動識別システム21(Radio
Frequency Identification、RFID)のリーダ22で、無線信号（例えば、無線周波数信号や赤外線信号或いはマイクロ波信号．．．等）を発送し（図３のように）、本体10が当該発送信号の範囲内に入ると、当該検知コイル11が当該信号を検知して、当該信号を当該本体10のチップモジュール12へ転送し、当該チップモジュール12が、パワーを得たため駆動され、そして、当該信号を整流してフィルタした後、予めに焼かれたプログラム（やコード）が、そのアンテナを介して当該リーダ22へ返送される。
【０００８】
これにより、当該リーダ22がその信号を受信して、その信号を復調や復号した後、それを当該無線自動識別システム21の後端である主システム24へ転送し、当該主システム24は、当該プログラム（やコード）から、当該品物の各基本データ（例えば、身分や品名及び真偽識別．．．等）を判読する。
【０００９】
図３のように、当該無線自動識別システム21のリーダ22には、アンテナ23があり、当該リーダ22は、当該アンテナ23を介して無線周波数（RF）信号を発射し、本体が信号の発送範囲内にある時、リーダ22のアンテナ23より電流が導入され、当該検知コイル11が当該信号を検知することができる。
【００１０】
また、図３のように、当該無線自動識別システム21は、非接触識別技術であり、無線周波数信号により自動的にターゲットを識別し、また、関するデータが得られ、一般のリーダ22が信号を発送する時、使用される周波数は、無線周波数識別(Radio
Frequency Identification、RFID)と称されるワーク周波数であり、無線自動識別可能なシンボルは、RFID技術を運用するものである。
【００１１】
図１、２のように、当該本体10には、二枚の薄い板14が設けられ、当該二枚の薄い板14が互いに連接し、当該検知コイル11と当該チップモジュール12とを、当該二枚の薄い板14の何れかの一つの薄い板14の内側に埋め込むことにより、シンボルが形成される。
【００１２】
図１、２のように、当該本体10には、二枚の薄い板14が設けられ、当該二枚の薄い板14が互いに連接し、その一つの薄い板14の内側には、印刷方式で当該検知コイル11を設置し、当該チップモジュール12は、当該検知コイル11と連接するように、当該二枚の薄い板14の間に実装され、シンボルが形成される。
【００１３】
図１、２のように、当該本体10には、二枚の薄い板14が設けられ、当該二枚の薄い板14が互いに連接し、その一つの薄い板14の内側には、銅箔層が設けられ、当該銅箔層上をエッチングして、当該検知コイル11が形成され、そして、当該チップモジュール12は、当該検知コイル11と連接するように、当該二枚の薄い板の間に実装し、シンボルが形成される。
【００１４】
図１、２のように、当該薄い板14のその一つの薄い板の外側には、ロゴ（Logo）が設置される。
【００１５】
図４、５のように、本考案の他の実施例において、当該本体10には、一つの薄い板14が設けられ、当該薄い板14の内側に、凹槽が設けられ、当該薄い板14の外側に、ロゴ（Logo）が設けられ、そして、当該検知コイル11と当該チップモジュール12が、当該凹槽に実装されて、シンボルが形成され、これにより、当該シンボルが品物13上に実装される時、当該チップモジュール12にあるプログラム（やコード）により、物流管理やコピー防止ができるだけでなく、当該品物13の美観の向上やロゴ（Logo）の表示もできる。
【００１６】
当該実施例において、図４、５のように、当該本体10には、一つの薄い板14が設けられ、当該薄い板14の外側に、ロゴ（Logo）が設けられ、当該検知コイル11と当該チップモジュール12とが、当該薄い板14の内側に埋め込まれて、シンボルが形成され、当該シンボルが品物13上に実装される時、当該チップモジュール12にあるプログラム（やコード）により、物流管理やコピー防止ができるだけでなく、当該品物13の美観の向上やロゴ（Logo）の表示もできる。
【００１７】
当該実施例において、図４、５のように、当該本体10には、一つの薄い板14が設けられ、当該薄い板14の外側に、ロゴ（Logo）が設けられ、当該薄い板14の内側に、印刷方式で当該検知コイル11が設置され、当該チップモジュール12が、当該検知コイル11と連接するように、当該内側に実装されて、シンボルが形成される。当該シンボルが品物13上に実装される時、当該チップモジュール12にあるプログラム（やコード）により、物流管理や在庫管理、品物履歴データの記載、メンテナンス記録及びコピー防止識別ができるだけでなく、当該品物13の美観の向上やロゴ（Logo）の表示もできる。
【００１８】
図４、５のように、当該本体10には、一つの薄い板14が設けられ、当該薄い板14の外側にロゴ（Logo）が設けられ、当該薄い板14の内側に銅箔層が設けられ、当該銅箔層上をエッチングして、当該検知コイル11が形成され、そして、当該チップモジュール12が、当該検知コイル11と連接するように、当該内側上に実装されて、シンボルが形成される。当該シンボルが品物13上に実装される時、当該チップモジュール12にあるプログラム（やコード）により、物流管理やコピー防止ができるだけでなく、当該品物13の美観の向上やロゴ（Logo）の表示もできる。
【００１９】
本考案によれば、上記のように、当該チップモジュール12上に当該品物13の基本データプログラムを設置することにより、当該品物13に係わるより詳しくコピー防止のデータが当該チップモジュール12上に設置され、また、本考案もエントランス制限や人事管理及び駐車場管理にも応用でき、そのため、当該チップモジュール12が無線自動識別システム21のリーダ22で安定的な無線周波数信号源を提供することにより、当該無線自動識別システム21の後端にある主システム24は、返答の信号を受信し、当該信号の識別コードを判読することにより、身分を識別するためのワークを行い、物流管理や身分識別及びコピー防止の目的と効果を達成できる。
【００２０】
（本考案に係わる無線自動識別可能なシンボルの利点と特徴）
4-1シンボルの利点
シンボル（logo）は、象徴的な視覚言語であり、図形や文字を媒介として、事や物及び現象の象徴意義を表し、簡単且つ独自の造型を有し、識別や区別などの作用が得られる。言いかえれば、シンボルは、独自的且つ明白的な造型により、物や事を示すが代表するもので、物や事の存在を単純に指示するだけでなく、目的や内容及び性質について、全体的に表現でき、それを見掛ける者に、インパクトなイメージが残され、そして、シンボルが代表する象徴内容も良く分かれる。
【００２１】
4-2 RFIDインテリジェンスラベルの利点:（同時に、無線自動識別可能なシンボルでもある）
a.操作人員が必要しない（バーコードは、この機能がない）。
b.全ての使用環境でも応用できる（バーコードは、この機能がない）。
c.長距離の無線データの識別/収集ができる（バーコードは、この機能がない）。
d.携帯型データベースである。
e.リアルタイムに、物件/流れを追跡できる。
f. チップは、コピー防止機能であるread only機能を有する（バーコードは、この機能がない）。
g.データの判読が容易である。バーコード読み取り装置において、近距離でなければかつ物体が介在すれば、スキャン光源がバーコード上に照射できず、判読できない。RFID
TAGによれば、無線電波の範囲内にあれば、信号の転送ができる。 
h.データが更新可能である。バーコードが印刷された後、変更できない。
i.何度も使用できる。バーコードは、商品の寿命に伴う廃棄され、RFID
TAGは、自身のデータが更新可能であるため、何度も使用できる。 
j.同時に、複数のデータが読み取れる。バーコード読み取り装置は、１度に一つだめのバーコードデータが読み取れるが、RFID
TAGの識別器は、同時に、複数のRFID TAGが読み取れて識別できる。 
k.安全性である。RFID TAGの読み取りにおいて、暗証番号によって保護され、高い安全性を有する保護措置があるため、コピーや変造を防止できる。
l.格納されるデータの量が大きい。格納される１次元バーコードの量が、50Bytesで、格納される２次元バーコードの量が、2乃至3000文字であるが、RFID
TAGの最大量が、数Megabytesである。
m.無線伝送であるため、実体同士が、互いに接触せずデータの交換が行われ、また、データの交換において、方向性の要求がない。
【００２２】
4-3無線自動識別可能なシンボルの利点
「シンボル」とRFID（Radio
Frequency Identification）無線自動識別インテリジェンスラベルの利点を両立する。
4-3-1 上記の 4-1と4-2の利点に加え、次の機能が得られる。
1.シングルの「無線自動識別可能なシンボル」は、「シンボル」と「RFIDインテリジェンスラベル」の機能を両立する。
2.貼りつけられる品物の履歴データや物理特性及びメンテナンス記録等を格納することができる。
3.「無線自動識別可能なシンボル」のチップにより、メーカが有効的に品物の各関係データを追跡できる。
4.品物の管理効率が向上される。
【００２３】
4-4無線自動識別可能なシンボルの応用
・物流管理：供給チェーン、物流や在庫管理 
・エントランス制限：オフィスビルのエントランス制限 
・包み郵便：航空運輸の荷物識別や郵便及び包み処理 
・図書管理：図書館管理や文件ファイルの追跡 
・製造組み立て：生産製造や組み立て及びメンテナンス記録等の物料管理
・廃棄物処理：ゴミ処理 
・医療応用：医薬設備やカルテの管理 
・交通運輸：快速道路の料金システムやチケットの応用 
・盗難やコピーの防止：スーパーの盗難防止システムや紙幣の偽造 
・動物監視：動物チップや野生動物生態の追跡 
・身分識別 
【００２４】
以上のように、本考案に係わる無線自動識別可能なシンボルは、今までのない、新しい構造があり、そして、刊行物に披露されることもないため、新鋭性のあるものと認められる。また、本考案には、独自な特徴や、従来のものがない進歩性があるため、法に従って実用新案登録を出願する。
【００２５】
以上の説明は、ただ、本考案のより良い実施例であり、本考案の明細書や請求の範囲に従って、様々の等価変更や修正は、全てが、本考案の請求の範囲に含まれる。
【図面の簡単な説明】
【００２６】
【図１】本考案に係わるシンボルの立体外観図
【図２】本考案に係わるシンボルの使用状態の概念図
【図３】本考案に係わる無線自動識別システムとシンボルのブロック図
【図４】本考案に係わるシンボルの他の実施例の立体外観図
【図５】本考案に係わるシンボルの他の実施例の使用状態の概念図
【符号の説明】
【００２７】
10     本体
11     検知コイル
12     チップモジュール
13     品物
14     薄い板
21     無線自動識別システム
22     リーダ
23     アンテナ
24     主システム
【図１】
0003113586.tif 000003
【図２】
0003113586.tif 000004
【図３】
0003113586.tif 000005
【図４】
0003113586.tif 000006
【図５】
0003113586.tif 000007
【手続補正書】
【提出日】平成17年6月15日(2005.6.15)
【手続補正１】
【補正対象書類名】実用新案登録請求の範囲
【補正対象項目名】請求項１
【補正方法】変更
【補正の内容】
【請求項１】
検知コイルと、
当該検知コイルと電気的に接続され、身分を識別するためのプログラムが焼かれる、チップモジュールと、
各薄い板が連接され、その一つの薄い板の外側にロゴが設けられ、当該検知コイルと当該チップモジュールたが当該一つの薄い板の内側に埋め込まれて、シンボルが形成される、少なくとも一つの薄い板とが含有され、
当該シンボルを品物上に実装すると、無線自動識別システムのリーダが無線信号を発送し、当該シンボルが当該信号の発送範囲に入ると、当該検知コイルが当該信号を検知して、当該信号を当該シンボルのチップモジュールへ伝送し、そして、当該チップモジュールにより、当該信号が整流されてフィルタされた後、パワーを得るため駆動され、また、予めに焼かれたプログラムが、そのアンテナにより当該リーダへ返送され、無線検知の受送信を行うことより、関係する処理が実行される、ことを特徴とする無線自動識別可能なシンボル。
【手続補正２】
【補正対象書類名】明細書
【補正対象項目名】０００５
【補正方法】変更
【補正の内容】
【０００５】
本考案の主な目的は、上記の従来技術の欠点を解消できる無線自動識別可能なシンボルを提供し、当該シンボルには、本体が設けられ、当該本体には、検知コイルとチップモジュールがあり、当該チップモジュールと当該検知コイルは、電気的に接続され、当該チップモジュールには、身分を識別するためのプログラムが焼かれ、当該本体を品物（例えば、売り場上の商品）上に実装すると、無線自動識別システム(Radio Frequency Identification、RFID)であるリーダで、内蔵するアンテナから信号（例えば、無線周波数信号やマイクロ波信号或いは赤外線信号）を発射しつつ、当該本体が、当該リーダの発射アンテナのワークエリアに入ると、本体に内蔵される検知コイルが誘導されて電流を生成し、当該本体のチップモジュールは、当該電流により駆動され、当該チップモジュールに予めに焼かれたプログラムが、本体内部の検知コイルを介して、当該リーダとメッセージ交換し、そして、当該無線自動識別システムの後端にある主システムへ転送し、更に、当該主システムが、当該プログラムから当該品物の各基本データ（例えば、身分や価格、数量、使用期限或いは真偽識別．．．等）を判読し、このように、当該チップモジュール上に当該品物の基本データプログラムを設置することにより、当該品物に関する更に詳しいデータを当該チップモジュール上に設置することができ、物流管理や在庫管理及びコピー防止という目的が達成される。